(57)【要約】【技術課題】感熱ヒューズアダプターにおいて、組立を簡単にすると共に確実に作動し、圧損を抑えることができ、製作コストの低減を可能にする。【解決手段】アダプター本体２１のガス流路２２内に保持フレーム２７を用いて遮断弁３２を下向きに取り付けると共にこの遮断弁３２を保持ピン３６とハンダ部材３９を用いて保持フレーム２７に固定しておく。火災が発生すると、ハンダ部３９が溶解して遮断弁３２は保持ピン３６にガイドされながら自重で落し、弁シート２３に密着してガスを遮断する。【選択図】        図８
2004236944.tif 000002
【特許請求の範囲】
【請求項１】
内部にガス流路を貫通して形成し、且つ前記ガス流路の入口側の内壁面に遮断弁保持フレーム固定溝を形成すると共にこの固定溝の下流側に逆ハの字状の弁シートを形成して成るアタッチメント本体と、
前記固定溝内に嵌合自在の嵌合部を左右のサイドフレームの上端に形成すると共に下端を水平フレームで一体に連結し、この水平フレームの中央に雌ねじ穴を設けた上向きコの字形状の遮断弁保持フレームと、
球形の弁本体の上部中央に前記保持フレームの水平フレーム側を挿入するためのフレーム取付溝を形成すると共にこのフレーム取付溝の底部中央に保持ピンガイド穴を垂直に形成し、且つこの保持ピンガイド穴の中心線上であって、弁本体の外周面から下向きに、フレーム取付溝の幅よりも大径のハンダ部材螺合用雌ねじ穴を形成して成る遮断弁と、
前記保持フレーム側の水平フレームに設けた雌ねじ穴内に下方から螺合自在の雄ねじを上部に形成し、下部に前記保持ピンガイド穴内にスライド自在に嵌合するピン軸を形成して成る遮断弁保持ピンと、
外周面に前記遮断弁のハンダ部材螺合用雌ねじ穴に螺合する雄ねじを形成して成るハンダ部材とから成り、
前記保持ピンの雄ねじ側を前記水平フレームの雌ねじ穴内に下方からねじ込んで上端を水平フレーム上に突出させたのち、遮断弁の保持ピンガイド穴内に保持ピンのピン軸部分を上方から挿入すると共に、遮断弁のハンダ部材螺合用雌ねじ穴内にハンダ部材を保持ピンの上端に接するまで螺入することにより遮断弁を保持フレーム固定し、火災発生時にハンダ部材が溶解すると遮断弁が解放されて保持ピンにガイドされながらその自重で垂直に落下し、弁シートに密着してガスの流れを遮断する感熱ヒューズアダプター。
【発明の詳細な説明】
【０００１】
【発明の属する技術分野】
本発明は、ガスが下向きに流れるガス配管中に取り付けて用いられる感熱ヒューズアダプターに関するもので、詳しくは、火災が発生した際に、この熱でヒューズが溶解することにより遮断弁が作動してガスを遮断する感熱ヒューズアダプターに関する。
【０００２】
【従来の技術】
都市ガスのガスメータは、通常屋外の外壁か、あるいは集合住宅にあってはパイプシャフトと称される配管スペース内に設置されている。そして、このガスメータ廻りでは、エルボやベント管を用いて配管方向が変えてあったり、配管はねじ接合であることから、火災発生時に倒壊物でねじ接合部分が外れたりすると、ここから生ガスが噴出して被害を大きくしてしまう危険性がある。
【０００３】
従来は、ガスメータの入側配管に元栓と称される手動式のガス栓が取り付けてあることから、火災時にはこの元栓を閉じるようにしている。しかし、この元栓を閉じるいとまがなかったり、一般の人にはそこまで気付かないことも多く、そしてガスメータは建物の外壁のところに露出して設置されている例が殆んどであるため、建物が倒壊したりするとこのガスメータ廻りの配管が折損したり、ガスメータが配管から外れて落下したりする例もある。特に地震時において火災が発生すると、このような事例が多くなることが考えられる。
【０００４】
本発明は、火災時の熱を利用してガス配管内を流れるガスを遮断する感熱ヒューズアダプターを提案するものであるが、このような例としては特開平６−１２３３７２号公報に掲載されているようなハンダを利用する方法が公知である。
【０００５】
しかし、前記ハンダを利用する方法にあっては、遮断弁をハンダで直接固定しているため、このハンダ付けに手間を要することと、遮断弁を駆動するためのスプリングの弾性力が熱の影響で低下すると、瞬時に遮断弁が作動しなかったりすることが考えられる。
【０００６】
そこで、本件出願人は、平成１４年２月２０日付で、ガスメータ廻りの配管内において、火災発生時に確実にガスを遮断することができると共に、新設ばかりでなく、既設の配管内にも取り付けて使用できる感熱ヒューズアダプターを提案している（特願２００２−０４２６８４号）。
【０００７】
しかし、この特願２００２−０４２６８４号（以下「先願」と云う）において、図２（Ａ）に記載された感熱ヒューズアダプターは、遮断弁２３を先願の図４、図５にみられる中心から３方向に支持板を形成した固定板２７によりガス流路２１内に取り付けており、更に、遮断弁２３は、ガス流路２１内を横断するようにして設けられたハンダ製の制御部材３０でその前進が止められていて、この制御部材３０が火災時に溶融するとスプリング２９の力で前進してガスを止める構成となっている。
【０００８】
このため、先願の感熱ヒューズアダプターにあっては、ガス流路２１内に固定板２７が存在するばかりでなく、制御部材３０がガス流路２１を横断する形で設けられているため、通常の場合、この２ヶ所がガスの流れを阻害し、圧損が大きくなると云う問題がある。
【０００９】
また、この先願の感熱ヒューズアダプターにあっては当該公報図４に示されている固定板２７は、その組み立ての時に図５のようにＣリング２８を用いてガス流路２１に固定する方式となっているため、ガス流路２１内が狭いために大変面倒であると共にしっかりとこのＣリング２８を溝内に嵌め込んでおかないと、あとで外されたりするトラブルが発生する。
【００１０】
また、この先願の感熱ヒューズアダプターにあっては、Ｃリング２８に加えて、遮断弁２３をスプリング２９で駆動していることから、組み立て時にこのスプリング２９を組み込んだりするために手数がかかる。そして、Ｃリング２８及びスプリング２９分、部品点数が多くなることから、コスト高になると云う問題がある。
【００１１】
【発明が解決しようとする課題】
本発明は、斯る点に鑑みて提供されるものであって、その目的の第１は、感熱ヒューズアダプターにおいて、Ｃリングを用いずに遮断弁をアダプター本体に組み付けることができるようにすることである。
第２の目的は、感熱ヒューズアダプターにおいて、Ｃリングに加えて、遮断弁駆動用のスプリングを用いないで遮断弁を駆動させることができるようにすることである。
第３の目的は、感熱ヒューズアダプターにおいて、ガスの流れ抵抗を極力少なくできる遮断弁の保持機構を提供することである。
第４の目的は、感熱ヒューズアダプターにおいて、製作コストの低減を図ることである。
【００１２】
【課題を解決するための手段】
上記１〜４の目的を達成するため、請求項１に記載の発明においては、感熱ヒューズアダプターにおいて、内部にガス流路を貫通して形成し、且つ前記ガス流路の入口側の内壁面に遮断弁保持フレーム固定溝を形成すると共にこの固定溝の下流側に逆ハの字状の弁シートを形成して成るアタッチメント本体と、
前記固定溝内に嵌合自在の嵌合部を左右のサイドフレームの上端に形成すると共に下端を水平フレームで一体に連結し、この水平フレームの中央に雌ねじ穴を設けた上向きコの字形状の遮断弁保持フレームと、
球形の弁本体の上部中央に前記保持フレームの水平フレーム側を挿入するためのフレーム取付溝を形成すると共にこのフレーム取付溝の底部中央に保持ピンガイド穴を垂直に形成し、且つこの保持ピンガイド穴の中心線上であって、弁本体の外周面から下向きに、フレーム取付溝の幅よりも大径のハンダ部材螺合用雌ねじ穴を形成して成る遮断弁と、
前記保持フレーム側の水平フレームに設けた雌ねじ穴内に下方から螺合自在の雄ねじを上部に形成し、下部に前記保持ピンガイド穴内にスライド自在に嵌合するピン軸を形成して成る遮断弁保持ピンと、
外周面に前記遮断弁のハンダ部材螺合用雌ねじ穴に螺合する雄ねじを形成して成るハンダ部材とから成り、
前記保持ピンの雄ねじ側を前記水平フレームの雌ねじ穴内に下方からねじ込んで上端を水平フレーム上に突出させたのち、遮断弁の保持ピンガイド穴内に保持ピンのピン軸部分を上方から挿入すると共に、遮断弁のハンダ部材螺合用雌ねじ穴内にハンダ部材を保持ピンの上端に接するまで螺入することにより遮断弁を保持フレーム固定し、火災発生時にハンダ部材が溶解すると遮断弁が解放されて保持ピンにガイドされながらその自重で垂直に落下し、弁シートに密着してガスの流れを遮断することを特徴とするものである。
【００１３】
【作用】
火災が発生し、この熱でアダプター周辺の温度が上昇し、ハンダ部材の溶解温度に達すると、ハンダ部材が溶解する。この結果、遮断弁が解放されてこの遮断弁は自重の作用で落下し、弁シートに密着してガスの流れを遮断する。この遮断弁の落下時に、遮断弁はその中心に形成した保持ピンガイド穴と保持ピンによるガイドの作用で垂直に落下し、センターがずれることがないため、確実に弁シートに密着する。
【００１４】
【発明の実施の形態】
本発明に係る感熱ヒューズアダプターは、ガス流路が下向きに形成されている配管中に装着して用いられる。この代表例は、ガスメータの入側であって、ガスメータの入側口金と曲管との間に接続して用いられる場合である。この例を図１〜図８に基づいて詳細に説明する。
【００１５】
【実施例１】
図１（Ａ）（Ｂ）はガスメータ廻りの配管例を示すもので、１はガスメータ、２は垂直に立ち上げられた入側ガス配管であって、この入側ガス配管２の途中には元栓３が取り付けてあり、エルボ管４→継手管５→エルボ管６→曲管（又は直管）７→ガスメータ１の入側口金１ａを経由してガスメータ１内に入り、計量されたガスは出側口金１ｂ→曲管（又は直管）８→エルボ管９→継手管１０→エルボ管１１→垂直の出側配管１２→試験口１３を経由して屋内配管に結ばれている。図中１４、１５は曲管７及び８の下端に取り付けられたユニオンナットであって、ガスメータ１の入側と出側の口金１ａ、１ｂは、このユニオンナット１４、１５で曲管７、８の下端に吊設されている。
【００１６】
図２（Ａ）は、感熱ヒューズアダプター２０を前記ガスメータ１の入側口金１ａと曲管７間に挿入した例であって、アダプター本体２１の上端は曲管７のユニオンナット１４に接続され、下端は口金１ａのねじ１ｃに螺合されている。なお、このアダプター２０を入側に挿入するに当っては、ガスメータ１の出側には、図２（Ｂ）に示すように、アダプター本体２１と同じ大きさのダミー管５０を出側口金１ｂと曲管８のユニオンナット１５間に挿入する。
【００１７】
図２（Ａ）において、２２はアダプター本体２１内を貫通するようにして形成されたガス流路、２３はこのガス流路２２内に形成された逆ハの字状の弁シート、２４はアダプター本体２１において、ガスの入側に形成された外ねじ、２５は出側に形成された内ねじであって、外ねじ２４にはユニオンナット１４が接続され、内ねじ２５はガスメータ１の入側口金１ａのねじ１ｃに接続されている。
【００１８】
２６は前記ガス流路２２において、弁シート２３の上流側の内壁面に形成された保持フレーム固定円周溝、２７は遮断弁の保持フレームであって、この保持フレーム２７は、図３（Ａ）〜（Ｃ）に示すように、サイドフレーム２８、２８ａの上端に夫々Ｔ字状の固定部２９、２９ａを形成すると共にサイドフレーム２８、２８ａの下端を水平フレーム３０で結ぶことにより上向きコの字状に形成され、水平フレーム３０の中央に雌ねじ穴３１を形成した構成である。
【００１９】
３２は球形の遮断弁であって、この遮断弁３２は、図４（Ａ）〜（Ｃ）に示すように、上方から下向きに保持フレーム２７が入る保持フレーム挿入溝３３を形成すると共にこの保持フレーム挿入溝３３の中央から下向きに挿入溝３３の溝幅より大きいガイド穴３４を形成し、このガイド穴３４の上端側の入口にハンダ部材ねじ込み用の雌ねじ穴３５を形成した構成である。
【００２０】
３６は遮断弁３２を保持フレーム２７に取り付けるための保持ピンであって、この保持ピン３６は、図５に示すように、前記遮断弁３２のガイド穴３４内に入る外径のピン軸３７と、前記保持フレーム２７の雌ねじ穴３１に下方からねじ込むことができる雄ねじ３８を形成した構成である。
【００２１】
３９はハンダ部材であって、このハンダ部材３９は図６（Ａ）（Ｂ）に示すように、前記遮断弁３２の雌ねじ３５にねじ込むための外径ねじ４０を外周面に形成し、上面にドライバー溝４１を形成した構成である。
【００２２】
次に、上記構成部品を組み立てるには、先ず図７（Ａ）（Ｂ）に示すように、保持フレーム２７の雌ねじ穴３１に保持ピン３６の雄ねじ３８を下方からいっぱいにねじ込んで水平フレーム３０の上に上端部を突出させたのち、遮断弁３２の保持フレーム挿入溝３３内に保持フレーム２７の水平フレーム３０側を底面に当るまで挿入し、保持ピン３６の雄ねじ３８の先端３８ａを遮断弁３２の雌ねじ穴３５の底部に位置させる。
【００２３】
その上で、ハンダ部材３９の外径ねじ４０を遮断弁３２側の雌ねじ穴３５にいっぱいまでねじ込む。
このようにすると、遮断弁３２にねじ込まれたハンダ部材３９の下面３９ａが保持ガイドピン３６の雄ねじ３８の上端３８ａに当るため、遮断弁３２は保持フレーム２７に固定される。
【００２４】
次に、保持フレーム２７に遮断弁３２を固定したヒューズ機構をアダプター本体２１のガス流路２１において入口側から挿入し、保持フレーム２７の固定フレーム２９を円周溝２６に嵌合する。
この結果、遮断弁３２はガス流路２２内において宙吊りの状態で弁シート２３に対向するようにして組み込まれる。
【００２５】
図８（Ａ）（Ｂ）に基づいて本発明に係る感熱ヒューズアダプターの作用を説明する。
（Ａ）は通常使用時であって、ガスは矢印の方向に流れている。この状態で火災が発生し、この熱でアダプター周辺の温度が上昇し、ハンダ部材３９の溶解温度に達すると、ハンダ部材３９が溶解する。この結果、遮断弁３２は、ハンダ部材３９を介して行われていた保持ピン３６での保持から解放されて自重の作用で落下し、弁シート２３に密着してガスの流れを遮断する。この遮断弁３２の落下時に、遮断弁３２はその中心に形成したガイド穴３４と取付ピン３６の係合作用で垂直に落下し、センターがずれることがないため、確実に弁シート２３に密着してガスの流れを遮断する（図８（Ｂ））。
【００２６】
【発明の効果】
本発明は以上の如き構成と作用から成り、次の効果を奏する。
１．保持フレームの固定部を直接アダプター本体側の円周溝内に嵌合して固定し、Ｃリング等を用いないため、取り付けが簡単且つ確実となり、本発明の第１の目的を達成することができる。
２．遮断弁は自重で作動し、スプリングで駆動しないため、作動が確実となり、本発明の第２の目的を達成することができる。
３．遮断弁は、サイドフレームと水平フレームを組み合わせたコの字形状の保持フレームでガス流路内に吊設したため、圧損を最小限に抑えることができ、本発明の第３の目的を達成することができる。
４．保持フレーム固定用のＣリング及び遮断弁駆動用のスプリングを用いていないため、この分製作コストの低減が可能となり、本発明の第４の目的を達成することができる。
【図面の簡単な説明】
【図１】（Ａ）はガスメータとこの配管を示す正面図。
（Ｂ）はガスメータとこの配管を示す側面図。
【図２】（Ａ）は感熱ヒューズアダプターをガスメータの入側に組み込んだ状態の断面図、（Ｂ）はガスメータの出側にダミー管を挿入した例の説明図。
【図３】（Ａ）は保持フレームの下面図、（Ｂ）は保持フレームの側面図、（Ｃ）は保持フレームの正面図。
【図４】（Ａ）は遮断弁の平面図、（Ｂ）は遮断弁の側面図、（Ｃ）は遮断弁の断面図。
【図５】取付ピンの側面図。
【図６】（Ａ）ハンダ部材の説明図、（Ｂ）はハンダ部材の側面図。
【図７】（Ａ）は保持フレームに遮断弁を取り付けた状態の説明図、（Ｂ）は保持フレームに遮断弁を取り付けた状態の平面図。
【図８】作用の説明図であって、（Ａ）は通常時の説明図、（Ｂ）は遮断弁が作動してガスを遮断した状態の説明図。
【符号の説明】
２０  アダプター
２１  アダプター本体
２２  ガス流路
２３  弁シート
２７  保持フレーム
３２  遮断弁
３６  取付ピン
３９  ハンダ部材
【図１】
2004236944.tif 000003
【図２】
2004236944.tif 000004
【図３】
2004236944.tif 000005
【図４】
2004236944.tif 000006
【図５】
2004236944.tif 000007
【図６】
2004236944.tif 000008
【図７】
2004236944.tif 000009
【図８】
2004236944.tif 000010
【手続補正書】
【提出日】平成15年2月13日(2003.2.13)
【手続補正２】
【補正対象書類名】明細書
【補正対象項目名】特許請求の範囲
【補正方法】変更
【補正の内容】
【特許請求の範囲】
【請求項１】
内部にガス流路を貫通して形成し、且つ前記ガス流路の入口側の内壁面に遮断弁保持フレーム固定溝を形成すると共にこの固定溝の下流側に逆ハの字状の弁シートを形成して成るアダプター本体と、
前記固定溝内に嵌合自在の嵌合部を左右のサイドフレームの上端に形成すると共に下端を水平フレームで一体に連結し、この水平フレームの中央に雌ねじ穴を設けた上向きコの字形状の遮断弁保持フレームと、
球形の弁本体の上部中央に前記保持フレームの水平フレーム側を挿入するためのフレーム取付溝を形成すると共にこのフレーム取付溝の底部中央に保持ピンガイド穴を垂直に形成し、且つこの保持ピンガイド穴の中心線上であって、弁本体の外周面から下向きに、フレーム取付溝の幅よりも大径のハンダ部材螺合用雌ねじ穴を形成して成る遮断弁と、
前記保持フレーム側の水平フレームに設けた雌ねじ穴内に下方から螺合自在の雄ねじを上部に形成し、下部に前記保持ピンガイド穴内にスライド自在に嵌合するピン軸を形成して成る遮断弁保持ピンと、
外周面に前記遮断弁のハンダ部材螺合用雌ねじ穴に螺合する雄ねじを形成して成るハンダ部材とから成り、
前記保持ピンの雄ねじ側を前記水平フレームの雌ねじ穴内に下方からねじ込んで上端を水平フレーム上に突出させたのち、遮断弁の保持ピンガイド穴内に保持ピンのピン軸部分を上方から挿入すると共に、遮断弁のハンダ部材螺合用雌ねじ穴内にハンダ部材を保持ピンの上端に接するまで螺入することにより遮断弁を保持フレーム固定し、火災発生時にハンダ部材が溶解すると遮断弁が解放されて保持ピンにガイドされながらその自重で垂直に落下し、弁シートに密着してガスの流れを遮断する感熱ヒューズアダプター。
【手続補正３】
【補正対象書類名】明細書
【補正対象項目名】００１２
【補正方法】変更
【補正の内容】
【００１２】
【課題を解決するための手段】
上記１〜４の目的を達成するため、請求項１に記載の発明においては、感熱ヒューズアダプターにおいて、内部にガス流路を貫通して形成し、且つ前記ガス流路の入口側の内壁面に遮断弁保持フレーム固定溝を形成すると共にこの固定溝の下流側に逆ハの字状の弁シートを形成して成るアダプター本体と、
前記固定溝内に嵌合自在の嵌合部を左右のサイドフレームの上端に形成すると共に下端を水平フレームで一体に連結し、この水平フレームの中央に雌ねじ穴を設けた上向きコの字形状の遮断弁保持フレームと、
球形の弁本体の上部中央に前記保持フレームの水平フレーム側を挿入するためのフレーム取付溝を形成すると共にこのフレーム取付溝の底部中央に保持ピンガイド穴を垂直に形成し、且つこの保持ピンガイド穴の中心線上であって、弁本体の外周面から下向きに、フレーム取付溝の幅よりも大径のハンダ部材螺合用雌ねじ穴を形成して成る遮断弁と、
前記保持フレーム側の水平フレームに設けた雌ねじ穴内に下方から螺合自在の雄ねじを上部に形成し、下部に前記保持ピンガイド穴内にスライド自在に嵌合するピン軸を形成して成る遮断弁保持ピンと、
外周面に前記遮断弁のハンダ部材螺合用雌ねじ穴に螺合する雄ねじを形成して成るハンダ部材とから成り、
前記保持ピンの雄ねじ側を前記水平フレームの雌ねじ穴内に下方からねじ込んで上端を水平フレーム上に突出させたのち、遮断弁の保持ピンガイド穴内に保持ピンのピン軸部分を上方から挿入すると共に、遮断弁のハンダ部材螺合用雌ねじ穴内にハンダ部材を保持ピンの上端に接するまで螺入することにより遮断弁を保持フレーム固定し、火災発生時にハンダ部材が溶解すると遮断弁が解放されて保持ピンにガイドされながらその自重で垂直に落下し、弁シートに密着してガスの流れを遮断することを特徴とするものである。




【手続補正書】
【提出日】平成15年5月30日(2003.5.30)
【手続補正１】
【補正対象書類名】図面
【補正対象項目名】図２
【補正方法】変更
【補正の内容】
【図２】
2004236944.tif 000011
【手続補正２】
【補正対象書類名】図面
【補正対象項目名】図８
【補正方法】変更
【補正の内容】
【図８】
2004236944.tif 000012